【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
近接認識ネットワーキング（ＮＡＮ）データパスネットワークでの使用のための方法であって、
データネットワークインフラストラクチャサービスに関する情報を取得するために、データネットワークインフラストラクチャに、複数のＮＡＮデバイスのうちの第１のＮＡＮデバイスにおいて、アクセスすること、
第２のＮＡＮデバイスに前記第１のＮＡＮデバイスによって加入された前記データネットワークインフラストラクチャサービスを告知するために、前記複数のＮＡＮデバイスのうちの前記第２のＮＡＮデバイスに、前記第１のＮＡＮデバイスから前記データネットワークインフラストラクチャサービスに関連付けられたサービス告知を送ること、ここにおいて、前記ＮＡＮデータパスネットワークは、前記複数のＮＡＮデバイスを含む、および、
前記複数のＮＡＮデバイスのうちの少なくとも１つから前記告知されたサービスへの少なくとも１つの加入を受信すること、
を備える、方法。
【請求項２】
前記データネットワークインフラストラクチャサービスに関する前記情報は、前記データネットワークインフラストラクチャサービスのサービスキャリアを示す、請求項１に記載の方法。
【請求項３】
前記サービス告知は、前記第２のＮＡＮデバイスと前記データネットワークインフラストラクチャのインフラストラクチャデバイスの間の通信を可能にすることに関連付けられた情報を含む、請求項１に記載の方法。
【請求項４】
前記第２のＮＡＮデバイスと前記インフラストラクチャデバイスの間の通信を可能にすることに関連付けられた前記情報は、前記第１のＮＡＮデバイスのメディアアクセスコントロール（ＭＡＣ）アドレスを含む、請求項３に記載の方法。
【請求項５】
前記第２のＮＡＮデバイスから第１のデータパケットを、前記第１のＮＡＮデバイスにおいて、受信すること、
前記インフラストラクチャデバイスに前記第１のＮＡＮデバイスから前記第１のデータパケットを送ること、
前記インフラストラクチャデバイスから第２のデータパケットを、前記第１のＮＡＮデバイスにおいて、受信すること、および、
前記第２のＮＡＮデバイスに前記第１のＮＡＮデバイスから前記第２のデータパケットを送ること
をさらに備える、請求項１に記載の方法。
【請求項６】
ゲートウェイデバイスを使用して、前記データネットワークインフラストラクチャにアクセスすることをさらに備える、請求項１に記載の方法。
【請求項７】
前記第２のＮＡＮデバイスからパス要求メッセージを、前記第１のＮＡＮデバイスにおいて、受信すること、ここにおいて、前記パス要求メッセージの宛先アドレスは、前記ゲートウェイデバイスのメディアアクセスコントロール（ＭＡＣ）アドレスに対応する、
前記第２のＮＡＮデバイスから前記パス要求メッセージを受信することに応答して、パス応答メッセージを、前記第１のＮＡＮデバイスにおいて、生成すること、前記パス応答メッセージは、前記第１のＮＡＮデバイスを前記第２のＮＡＮデバイスと前記ゲートウェイデバイスの間のリレーポイントとして指定する、
前記第２のＮＡＮデバイスに前記第１のＮＡＮデバイスから前記パス応答メッセージを送ること、および
前記ゲートウェイデバイスに前記第１のＮＡＮデバイスから前記パス要求メッセージを送ること
をさらに備える、請求項６に記載の方法。
【請求項８】
前記第２のＮＡＮデバイスからダイナミックホストコンフィギュレーションプロトコル（ＤＨＣＰ）要求を、前記第１のＮＡＮデバイスにおいて、受信すること、
前記ゲートウェイデバイスに前記第１のＮＡＮデバイスから前記ＤＨＣＰ要求を送ること、
前記ゲートウェイデバイスから前記第２のＮＡＮデバイスのインターネットプロトコル（ＩＰ）アドレスを、前記第１のＮＡＮデバイスにおいて、受信すること、前記ＩＰアドレスは前記ＤＨＣＰ要求に基づく、および
前記第２のＮＡＮデバイスに前記ＩＰアドレスを送ること、
をさらに備える、請求項６に記載の方法。
【請求項９】
前記第２のＮＡＮデバイスは、前記第１のＮＡＮデバイスから前記サービス告知を受信することに応答して、前記複数のＮＡＮデバイスのうちの第３のＮＡＮデバイスに前記サービス告知を送る、
請求項１に記載の方法。
【請求項１０】
前記複数のＮＡＮデバイスのうちの特定のＮＡＮデバイスを前記データネットワークインフラストラクチャへのゲートウェイデバイスとして指定するために、前記複数のＮＡＮデバイスのうちの他のＮＡＮデバイスと交渉プロセスを、前記第１のＮＡＮデバイスにおいて、行うことをさらに備える、請求項１に記載の方法。
【請求項１１】
前記交渉プロセスは、
前記第１のＮＡＮデバイスのパラメータを、前記複数のＮＡＮデバイスのうちの他のＮＡＮデバイスの対応するパラメータと、前記第１のＮＡＮデバイスにおいて、比較すること、および
前記比較に基づいて、前記特定のＮＡＮデバイスを前記ゲートウェイデバイスとして指定すること、
を備える、請求項１０に記載の方法。
【請求項１２】
前記交渉プロセスに基づいて、前記複数のＮＡＮデバイスのうちの第２の特定のＮＡＮデバイスを前記データネットワークインフラストラクチャへの候補ゲートウェイデバイスとして、前記第１のＮＡＮデバイスにおいて、指定すること、前記第２の特定のＮＡＮデバイスは、前記特定のＮＡＮデバイスが前記データネットワークインフラストラクチャへの接続性を失う場合、前記ゲートウェイデバイスとして前記特定のＮＡＮデバイスに取って代わるように構成される、
をさらに備える、請求項１０に記載の方法。
【請求項１３】
前記ゲートウェイデバイスは、前記複数のＮＡＮデバイスと前記データネットワークインフラストラクチャの間でインターネットプロトコル（ＩＰ）セッションを管理するように構成される、請求項１０に記載の方法。
【請求項１４】
プロセッサによって実行されたとき、前記プロセッサに、請求項１乃至１３のいずれか１項に記載の方法を行わせる命令を備える非一時的コンピュータ可読媒体。
【請求項１５】
近接認識ネットワーキング（ＮＡＮ）データパスネットワークでの使用のための装置であって、前記装置は、
データネットワークインフラストラクチャサービスに関連した情報を取得するためにデータネットワークインフラストラクチャにアクセスするための手段、アクセスするための前記手段は、複数のＮＡＮデバイスのうちの第１のＮＡＮデバイスに含まれる、
前記複数のＮＡＮデバイスのうちの第２のＮＡＮデバイスに、前記第１のＮＡＮデバイスから前記第１のＮＡＮデバイスによって加入された前記データネットワークインフラストラクチャサービスに関連付けられたサービス告知を送るための手段、ここにおいて、前記ＮＡＮデータパスネットワークは、前記複数のＮＡＮデバイスを含む、および、
前記複数のＮＡＮデバイスのうちの少なくとも１つから前記告知されたサービスへの少なくとも１つの加入を受信するための手段と、
を備える、装置。
【手続補正２】
【補正対象書類名】明細書
【補正対象項目名】００８７
【補正方法】変更
【補正の内容】
【００８７】
[0096]  開示されたインプリメンテーションの先の説明は、当業者が、開示された実施形態を製造または使用することを可能にするために提供される。これらのインプリメンテーションへの様々な修正は、当業者に容易に明らかとなるもので、本明細書で定義された原理は、本開示の範囲から逸脱することなしに他のインプリメンテーションに適用され得る。したがって、本開示は、本明細書に示されたインプリメンテーションに限定されるようには意図されず、下記の特許請求の範囲によって定義されるような原理および新規な特徴と一致する可能性がある最も広い範囲を与えられることになる。
以下に本願発明の当初の特許請求の範囲に記載された発明を付記する。
［Ｃ１］  近接認識ネットワーキング（ＮＡＮ）データパスネットワークでの使用のための装置であって、
プロセッサと、
前記プロセッサに結合されたメモリと、ここにおいて、前記メモリは、動作を行うために前記プロセッサによって実行可能な命令を記憶し、前記動作は、
データネットワークインフラストラクチャサービスに関する情報を取得するために、データネットワークインフラストラクチャに、複数のＮＡＮデバイスのうちの第１のＮＡＮデバイスにおいて、アクセスすることと、
第２のＮＡＮデバイスに前記データネットワークインフラストラクチャサービスを告知するために、前記複数のＮＡＮデバイスのうちの前記第２のＮＡＮデバイスに、前記第１のＮＡＮデバイスから前記データネットワークインフラストラクチャサービスに関連付けられたサービス告知を送ることと、ここにおいて、前記ＮＡＮデータパスネットワークは、前記複数のＮＡＮデバイスを含む、
を備える、
を備える、装置。
［Ｃ２］  前記データネットワークインフラストラクチャサービスに関する前記情報は、前記データネットワークインフラストラクチャサービスのサービスキャリアを示す、Ｃ１に記載の装置。
［Ｃ３］  前記サービス告知は、前記第２のＮＡＮデバイスと前記データネットワークインフラストラクチャのインフラストラクチャデバイスの間の通信を可能にすることに関連付けられた情報を含む、Ｃ１に記載の装置。
［Ｃ４］  前記動作は、
前記第２のＮＡＮデバイスから第１のデータパケットを、前記第１のＮＡＮデバイスにおいて、受信すること、
前記インフラストラクチャデバイスに前記第１のＮＡＮデバイスから前記第１のデータパケットを送ること、
前記インフラストラクチャデバイスから第２のデータパケットを、前記第１のＮＡＮデバイスにおいて、受信すること、および、
前記第２のＮＡＮデバイスに前記第１のＮＡＮデバイスから前記第２のデータパケットを送ること
をさらに備える、Ｃ３に記載の装置。
［Ｃ５］  前記第１のＮＡＮデバイスは、ゲートウェイデバイスを使用して、前記データネットワークインフラストラクチャにアクセスするように構成される、Ｃ１に記載の装置。
［Ｃ６］  前記動作は、
前記第２のＮＡＮデバイスからパス要求メッセージを、前記第１のＮＡＮデバイスにおいて、受信すること、ここにおいて、前記パス要求メッセージの宛先アドレスは、前記ゲートウェイデバイスのメディアアクセスコントロール（ＭＡＣ）アドレスに対応する、  前記第２のＮＡＮデバイスから前記パス要求メッセージを受信することに応答して、パス応答メッセージを、前記第１のＮＡＮデバイスにおいて、生成すること、前記パス応答メッセージは、前記第１のＮＡＮデバイスを前記第２のＮＡＮデバイスと前記ゲートウェイデバイスの間のリレーポイントとして指定する、
前記第２のＮＡＮデバイスに前記第１のＮＡＮデバイスから前記パス応答メッセージを送ること、および
前記第１のＮＡＮデバイスから前記ゲートウェイデバイスに前記パス要求メッセージを送ること、
をさらに備える、Ｃ５に記載の装置。
［Ｃ７］  前記動作は、
前記第２のＮＡＮデバイスからダイナミックホストコンフィギュレーションプロトコル（ＤＨＣＰ）要求を、前記第１のＮＡＮデバイスにおいて、受信すること、
前記ゲートウェイデバイスに前記第１のＮＡＮデバイスから前記ＤＨＣＰ要求を送ること、
前記ゲートウェイデバイスから前記第２のＮＡＮデバイスのインターネットプロトコル（ＩＰ）アドレスを、前記第１のＮＡＮデバイスにおいて、受信すること、前記ＩＰアドレスは前記ＤＨＣＰ要求に基づく、および
前記第２のＮＡＮデバイスに前記ＩＰアドレスを送ること、
をさらに備える、Ｃ５に記載の装置。
［Ｃ８］  前記データネットワークインフラストラクチャサービスは、インターネットサービス、クラウドベースサービス、アプリケーションサービス、またはファイル共有サービスのうちの少なくとも１つを含む、Ｃ１に記載の装置。
［Ｃ９］  前記第２のＮＡＮデバイスは、前記第１のＮＡＮデバイスから前記サービス告知を受信することに応答して、前記複数のＮＡＮデバイスのうちの第３のＮＡＮデバイスに前記サービス告知を送るように構成される、Ｃ１に記載の装置。
［Ｃ１０］  前記動作は、前記複数のＮＡＮデバイスのうちの特定のＮＡＮデバイスを前記データネットワークインフラストラクチャへのゲートウェイデバイスとして指定するために、前記複数のＮＡＮデバイスのうちの他のＮＡＮデバイスと交渉プロセスを、前記第１のＮＡＮデバイスにおいて、行うことをさらに備える、Ｃ１に記載の装置。
［Ｃ１１］  前記プロセッサは、
前記第１のＮＡＮデバイスのパラメータを、前記複数のＮＡＮデバイスのうちの他のＮＡＮデバイスの対応するパラメータと、前記第１のＮＡＮデバイスにおいて、比較し、および
前記比較に基づいて、前記特定のＮＡＮデバイスを前記ゲートウェイデバイスとして指定するように構成される、Ｃ１０に記載の装置。
［Ｃ１２］  前記動作は、前記交渉プロセスに基づいて、前記複数のＮＡＮデバイスのうちの第２の特定のＮＡＮデバイスを前記データネットワークインフラストラクチャへの候補ゲートウェイデバイスとして、前記第１のＮＡＮデバイスにおいて、指定すること、前記第２の特定のＮＡＮデバイスは、前記特定のＮＡＮデバイスが前記データネットワークインフラストラクチャへの接続性を失う場合、前記ゲートウェイデバイスとして前記特定のＮＡＮデバイスに取って代わるように構成される、
をさらに備える、Ｃ１０に記載の装置。
［Ｃ１３］  前記ゲートウェイデバイスは、前記複数のＮＡＮデバイスと前記データネットワークインフラストラクチャの間でインターネットプロトコル（ＩＰ）セッションを管理するように構成される、Ｃ１０に記載の装置。
［Ｃ１４］  近接認識ネットワーキング（ＮＡＮ）データパスネットワークでの使用のための方法であって、
データネットワークインフラストラクチャサービスに関する情報を取得するために、データネットワークインフラストラクチャに、複数のＮＡＮデバイスのうちの第１のＮＡＮデバイスにおいて、アクセスすること、および
第２のＮＡＮデバイスに前記データネットワークインフラストラクチャサービスを告知するために、前記複数のＮＡＮデバイスのうちの前記第２のＮＡＮデバイスに、前記第１のＮＡＮデバイスから前記データネットワークインフラストラクチャサービスに関連付けられたサービス告知を送ること、ここにおいて、前記ＮＡＮデータパスネットワークは、前記複数のＮＡＮデバイスを含む、
を備える、方法。
［Ｃ１５］  前記データネットワークインフラストラクチャサービスに関する前記情報は、前記データネットワークインフラストラクチャサービスのサービスキャリアを示す、Ｃ１４に記載の方法。
［Ｃ１６］  前記サービス告知は、前記第２のＮＡＮデバイスと前記データネットワークインフラストラクチャのインフラストラクチャデバイスの間の通信を可能にすることに関連付けられた情報を含む、Ｃ１４に記載の方法。
［Ｃ１７］  前記第２のＮＡＮデバイスと前記インフラストラクチャデバイスの間の通信を可能にすることに関連付けられた前記情報は、前記第１のＮＡＮデバイスのメディアアクセスコントロール（ＭＡＣ）アドレスを含む、Ｃ１６に記載の方法。
［Ｃ１８］  前記第２のＮＡＮデバイスから第１のデータパケットを、前記第１のＮＡＮデバイスにおいて、受信すること、
前記インフラストラクチャデバイスに前記第１のＮＡＮデバイスから前記第１のデータパケットを送ること、
前記インフラストラクチャデバイスから第２のデータパケットを、前記第１のＮＡＮデバイスにおいて、受信すること、および、
前記第２のＮＡＮデバイスに前記第１のＮＡＮデバイスから前記第２のデータパケットを送ること
をさらに備える、Ｃ１４に記載の方法。
［Ｃ１９］  ゲートウェイデバイスを使用して、前記データネットワークインフラストラクチャにアクセスすることをさらに備える、Ｃ１４に記載の方法。
［Ｃ２０］  前記第２のＮＡＮデバイスからパス要求メッセージを、前記第１のＮＡＮデバイスにおいて、受信すること、ここにおいて、前記パス要求メッセージの宛先アドレスは、前記ゲートウェイデバイスのメディアアクセスコントロール（ＭＡＣ）アドレスに対応する、  前記第２のＮＡＮデバイスから前記パス要求メッセージを受信することに応答して、パス応答メッセージを、前記第１のＮＡＮデバイスにおいて、生成すること、前記パス応答メッセージは、前記第１のＮＡＮデバイスを前記第２のＮＡＮデバイスと前記ゲートウェイデバイスの間のリレーポイントとして指定する、
前記第２のＮＡＮデバイスに前記第１のＮＡＮデバイスから前記パス応答メッセージを送ること、および
前記ゲートウェイデバイスに前記第１のＮＡＮデバイスから前記パス要求メッセージを送ること
をさらに備える、Ｃ１９に記載の方法。
［Ｃ２１］  前記第２のＮＡＮデバイスからダイナミックホストコンフィギュレーションプロトコル（ＤＨＣＰ）要求を、前記第１のＮＡＮデバイスにおいて、受信すること、
前記ゲートウェイデバイスに前記第１のＮＡＮデバイスから前記ＤＨＣＰ要求を送ること、
前記ゲートウェイデバイスから前記第２のＮＡＮデバイスのインターネットプロトコル（ＩＰ）アドレスを、前記第１のＮＡＮデバイスにおいて、受信すること、前記ＩＰアドレスは前記ＤＨＣＰ要求に基づく、および
前記第２のＮＡＮデバイスに前記ＩＰアドレスを送ること、
をさらに備える、Ｃ１９に記載の方法。
［Ｃ２２］  前記データネットワークインフラストラクチャサービスは、インターネットサービス、クラウドベースサービス、アプリケーションサービス、またはファイル共有サービスである、Ｃ１４に記載の方法。
［Ｃ２３］  前記第２のＮＡＮデバイスは、前記第１のＮＡＮデバイスから前記サービス告知を受信することに応答して、前記複数のＮＡＮデバイスのうちの第３のＮＡＮデバイスに前記サービス告知を送る、
Ｃ１４に記載の方法。
［Ｃ２４］  前記複数のＮＡＮデバイスのうちの特定のＮＡＮデバイスを前記データネットワークインフラストラクチャへのゲートウェイデバイスとして指定するために、前記複数のＮＡＮデバイスのうちの他のＮＡＮデバイスと交渉プロセスを、前記第１のＮＡＮデバイスにおいて、行うことをさらに備える、Ｃ１４に記載の方法。
［Ｃ２５］  前記交渉プロセスは、
前記第１のＮＡＮデバイスのパラメータを、前記複数のＮＡＮデバイスのうちの他のＮＡＮデバイスの対応するパラメータと、前記第１のＮＡＮデバイスにおいて、比較すること、および
前記比較に基づいて、前記特定のＮＡＮデバイスを前記ゲートウェイデバイスとして指定すること、
を備える、Ｃ２４に記載の方法。
［Ｃ２６］  前記交渉プロセスに基づいて、前記複数のＮＡＮデバイスのうちの第２の特定のＮＡＮデバイスを前記データネットワークインフラストラクチャへの候補ゲートウェイデバイスとして、前記第１のＮＡＮデバイスにおいて、指定すること、前記第２の特定のＮＡＮデバイスは、前記特定のＮＡＮデバイスが前記データネットワークインフラストラクチャへの接続性を失う場合、前記ゲートウェイデバイスとして前記特定のＮＡＮデバイスに取って代わるように構成される、
をさらに備える、Ｃ２４に記載の方法。
［Ｃ２７］  前記ゲートウェイデバイスは、前記複数のＮＡＮデバイスと前記データネットワークインフラストラクチャの間でインターネットプロトコル（ＩＰ）セッションを管理するように構成される、Ｃ２４に記載の方法。
［Ｃ２８］  プロセッサによって実行されたとき、前記プロセッサに、近接認識ネットワーキング（ＮＡＮ）データパスネットワークでの使用のための動作を行わせる命令を備える非一時的コンピュータ可読媒体であって、前記動作は、
データネットワークインフラストラクチャサービスに関する情報を取得するために、データネットワークインフラストラクチャに、複数のＮＡＮデバイスのうちの第１のＮＡＮデバイスにおいて、アクセスすること、および
第２のＮＡＮデバイスに前記データネットワークインフラストラクチャサービスを告知するために、前記複数のＮＡＮデバイスのうちの前記第２のＮＡＮデバイスに、前記第１のＮＡＮデバイスから前記データネットワークインフラストラクチャサービスに関連付けられたサービス告知を送ること、ここにおいて、前記ＮＡＮデータパスネットワークは、前記複数のＮＡＮデバイスを含む、
を備える、非一時的コンピュータ可読媒体。
［Ｃ２９］  前記サービス告知は、前記第２のＮＡＮデバイスと前記データネットワークインフラストラクチャのインフラストラクチャデバイスの間の通信を可能にすることに関連付けられた情報を含む、Ｃ２８に記載の非一時的コンピュータ可読媒体。
［Ｃ３０］  近接認識ネットワーキング（ＮＡＮ）データパスネットワークでの使用のための装置であって、前記装置は、
データネットワークインフラストラクチャサービスに関連した情報を取得するためにデータネットワークインフラストラクチャにアクセスするための手段、アクセスするための前記手段は、複数のＮＡＮデバイスのうちの第１のＮＡＮデバイスに含まれる、および、  前記複数のＮＡＮデバイスのうちの第２のＮＡＮデバイスに、前記第１のＮＡＮデバイスから前記データネットワークインフラストラクチャサービスに関連付けられたサービス告知を送るための手段、ここにおいて、前記ＮＡＮデータパスネットワークは、前記複数のＮＡＮデバイスを含む、
を備える、装置。